(57)【要約】      （修正有）【課題】簡単に組み立てられ、被包装物の出し入れが容易な吊り下げ包装体を提供する。【解決手段】この吊り下げ包装体１は、ボトルや容器の首部に係止する開口部を有する係止部２と被包装物を包装する包装部３とからなる。そして、前記包装部は、包装用折り目を介して上方を表面部９、下方を背面部１０とする。前記表面部の一側端に押込み片１７を突設してなり、背面部は先端部に設けた貼着用折り目によって内側を押え部１３とし外側を貼着部１５とする。前記押え部の中央に透孔１６を設け、一側端に折返し片２０を設け、他側端に前記包装用折り目を介して表面部の押込み片と対称の位置に背面部の押込み片を設けてなる。前記貼着部には剥離紙を設けた貼着面部２２と、折返し片を押さえ込む押え突片２３を突設してなり、中央部に設けた略Ｕ字状切込の先端から前記包装用折り目に達するミシン目２６を設けてなる。【選択図】図１
0003160978.tif 000002
【実用新案登録請求の範囲】
【請求項１】
ボトルや容器の首部に係止する開口部を有する係止部と被包装物を包装する包装部とからなり、前記包装部は、包装用折り目を介して上方を表面部、下方を背面部とし、前記表面部は一側端に押込み片を突設してなり、背面部は先端部に設けた貼着用折り目によって内側を押え部とし外側を貼着部となし、前記押え部には中央に透孔を設け、一側端に折返し片を設け、他側端に前記包装用折り目を介して表面部の押込み片と対称の位置に背面部の押込み片を設けてなり、前記貼着部には剥離紙を設けた貼着面部と、折返し片を押さえ込む押え突片を突設してなり、中央部には前記貼着用折り目に接する略Ｕ字状切込を設け、前記切込の先端から前記包装用折り目に達するミシン目を設けてなることを特徴とする吊り下げ包装体。
【請求項２】
ボトルや容器の首部に係止する開口部を有する係止部と被包装物を包装する包装部とからなり、前記包装部は、包装用折り目を介して上方を表面部、下方を背面部とし、前記表面部は一側端に押込み片を突設し、他側端に突片を突設してなり、背面部は先端部に設けた貼着用折り目によって内側を押え部とし外側を貼着部となし、前記押え部には中央に透孔を設け、一側端に貼着片を設け、他側端に前記包装用折り目を介して表面部の押込み片と対称の位置に背面部の押込み片を設けてなり、前記貼着部には剥離紙を設けた貼着面部を設けると共に、中央部には前記貼着用折り目に接する略Ｕ字状切込を設け、前記切込の先端から前記包装用折り目に達するミシン目を設けてなることを特徴とする吊り下げ包装体。
【請求項３】
表面部と背面部に設けた押込み片は、先端をギザギザの鋸歯状に形成したことを特徴とする請求項１又は２に記載の吊り下げ包装体。
【請求項４】
係止部に設けた開口部は、ギザギザの鋸歯状突起を内向きにリング状に突設したことを特徴とする請求項１〜３のいずれか１項に記載の吊り下げ包装体。
【考案の詳細な説明】
【技術分野】
【０００１】
この考案は、ボトルやキャップ付容器のように細首部を有する容器の首部を挿入して吊り下げる吊り下げ包装体に係り、詳しくは簡単に組み立てられ、被包装物の出し入れが容易な吊り下げ包装体に関するものである。
【背景技術】
【０００２】
従来、化粧品やシャンプー等のサンプルを透明なビニール袋に、商品の説明書や宣伝印刷物と共に入れ、ビニール袋に取り付けた紐をボトルの首部に掛けたり、あるいはサンプルと商品の説明書や宣伝印刷物とボトルとを全部まとめてビニール袋に入れて販売されることがある。
【０００３】
また、商品をボトル等の首部に係止するには、ボトルネッカーと称される係止用袋体が使用されている。このような係止用袋体は、ボトルの首部に掛ける係止部と、収納物を収納する袋本体とから構成されており、係止部に設けた打抜き開口部にボトルの首部を挿入して係止するようにしたものである。
【先行技術文献】
【特許文献】
【０００４】
【特許文献１】特開２００４−３４７９６５号公報
【特許文献２】特開２００８−２４５９８２号公報
【考案の概要】
【考案が解決しようとする課題】
【０００５】
上記のビニール袋に入れる方法は、手間がかかるばかりでなく、中に入れたサンプルや印刷物自体が見え難くなり、サンプルの確認や印刷物による宣伝広告機能を十分発揮させることができなかった。
【０００６】
また、係止用袋体の場合も、景品やサンプル等の収納に手間がかかるという問題がある。また、係止部が破損した場合には、袋本体に収納された収納物まで廃棄しなければならなくなる場合もある。
【０００７】
さらに、近年では、ウィルス除菌・消臭スプレー用として、除菌・消臭剤を液体ではなく錠剤にしたものがあり、この錠剤を専用のスプレー容器と共に販売することが行われている。そして、錠剤は水に溶かして使用するので、使用するときにスプレー容器に水を入れ、この水を入れた容器に前記錠剤を溶かして使用すればよい。持ち運びが容易で、水のある場所であれば必要なときに使用することができる。
【０００８】
上記除菌・消臭剤とスプレー容器とを販売するときには、除菌・消臭剤である錠剤と使用方法や注意書を印刷した印刷物とを共に透明なビニール袋に入れ、袋に取り付けた紐をスプレー容器の首部に掛けて販売している。
【０００９】
このように、ビニール袋に入れる方法は、手間がかかるばかりでなく、収納物や印刷内容の確認が困難であると共に、ビニール袋全体が湾曲して外観体裁が極端に損なわれるという問題がある。
【課題を解決するための手段】
【００１０】
この考案は上記目的を達成するために次のような構成とした。即ち、この考案に係る吊り下げ包装体は、ボトルや容器の首部に係止する開口部を有する係止部と被包装物を包装する包装部とからなる。
そして、前記包装部は、包装用折り目を介して上方を表面部、下方を背面部とする。前記表面部は一側端に押込み片を突設してなり、背面部は先端部に設けた貼着用折り目によって内側を押え部とし外側を貼着部とする。前記押え部には中央に透孔を設け、一側端に折返し片を設け、他側端に前記包装用折り目を介して表面部の押込み片と対称の位置に背面部の押込み片を設けてなる。前記貼着部には剥離紙を設けた貼着面部と、折返し片を押さえ込む押え突片を突設してなり、中央部には前記貼着用折り目に接する略Ｕ字状切込を設け、前記切込の先端から前記包装用折り目に達するミシン目を設けてなる。
【００１１】
また、この考案に係る吊り下げ包装体は、ボトルや容器の首部に係止する開口部を有する係止部と被包装物を包装する包装部とからなる。
そして、前記包装部は、包装用折り目を介して上方を表面部、下方を背面部とする。前記表面部は一側端に押込み片を突設し、他側端に突片を突設してなり、背面部は先端部に設けた貼着用折り目によって内側を押え部とし外側を貼着部とする。前記押え部には中央に透孔を設け、一側端に貼着片を設け、他側端に前記包装用折り目を介して表面部の押込み片と対称の位置に背面部の押込み片を設けてなる。前記貼着部には剥離紙を設けた貼着面部を設けると共に、中央部には前記貼着用折り目に接する略Ｕ字状切込を設け、前記切込の先端から前記包装用折り目に達するミシン目を設けてなる構成としてもよい。
【００１２】
表面部と背面部に設けた押込み片は、先端をギザギザの鋸歯状に形成することが好ましい。このように形成することによって、被包装物の脱落を一層防止することができる。また、係止部に設けた開口部は、ギザギザの鋸歯状突起を内向きにリング状に突設する構成としてもよい。
【考案の効果】
【００１３】
この考案に係る吊り下げ包装体は、簡単に組み立てられ、被包装物も簡単に押し入れることができる。押し入れられた被包装物は包装部を破損しなければ取り出すことができない。被包装物を取り出すときは、貼着部に形成された突片を持って引き裂くことにより大きな開口部を形成することができ、容易に取り出すことができる。また、表面全体に使用説明書や宣伝等を印刷することができ、その機能を十分発揮させることができる。さらに、容器の首部に取り付けるだけであるから、取り付けが簡単であると共に、外観体裁もよい。
【図面の簡単な説明】
【００１４】
【図１】図１は第１実施形態に係る吊り下げ包装体の分解した状態の平面図である。
【図２】図２は同じく組み立ての工程を示す背面における上面斜視図である。
【図３】図３は第１実施形態に係る吊り下げ包装体の組立状態の平面図である。
【図４】図４は、図５におけるＡ−Ａ線断面図である。
【図５】図５は、同じく錠剤を収納した収納袋を包装した状態の断面図である。
【図６】図６は第２実施形態に係る吊り下げ包装体の分解した状態の平面図である。
【図７】図７は同じく組み立ての工程を示す背面における上面斜視図である。
【図８】図８は、スプレー用容器の首部に係止した使用例の外観図である。
【図９】図９は、ボトルの首部に係止した使用例の外観図である。
【考案を実施するための形態】
【００１５】
以下に、本考案の実施形態について説明する。図１は、第１実施形態に係る吊り下げ包装体の平面図であって、吊り下げ包装体１は、容器の首部に係止する係止部２と被包装物を包装する包装部３によって構成されている。前記係止部２と包装部３との間には、容器に係止したときに容器の肩部の形状に馴染むように折れ目４が設けられている。
【００１６】
係止部２には、係止する容器の首部の大きさに合わせて打抜かれた円形状開口部５が穿設されており、前記円形状開口部５と折れ目４との間にも、取り付けるボトル・容器との馴染みを良くするための折れ目６が設けられている。さらに、前記包装部３は、包装用折り目８から上方の表面部９と下方の背面部１０とによって構成されている。表面部９の一方の側端には先端をギザギザの鋸歯状に形成した押込み片１１が折り目１４を介して突設されている。また、前記背面部１０は、貼着用折り目１２から内側を押え部１３となし、外側を貼着片部１５とする。
【００１７】
押え部１３の中央部には打ち抜き加工された透孔１６が形成されており、上記表面部９の押込み片１１と同じ側には、先端をギザギザの鋸歯状に形成した押込み片１７が折り目１８を介して突設されている。前記押込み片１１と押込み片１７は、包装用折り目８を中心に折り畳んだときに互いに重なり合うように、包装用折り目８からほぼ等距離の位置に対称に突設されている。押え部１３には、押込み片１７とは反対側に折返し片２０が折り目２１を介して突設されている。
【００１８】
前記貼着部１５には、剥離紙を設けた貼着面部２２が設けられており、角部先端、即ち折返し片２０側の先端に押え突片２３が突設されている。前記押え突片２３は、折り目１２を中心にして貼着部１５を折り畳んだときに、前記折返し片２０を押さえ込むことができる大きさに形成されている。
【００１９】
さらに、貼着部１５の中央部には、先端を貼着用折り目１２に接する略Ｕ字状切込２５が形成されており、前記切込２５の両端から透孔１６の両側を通って包装用折れ目８に達するミシン目２６が設けられている。前記切込２５の内側部分は、吊り下げ包装体として組み立てたとき、貼着用折り目１２から突出した突片２７となり、ミシン目２６から切り取るときの摘み部となる。
【００２０】
次に、上記第１実施形態の吊り下げ包装体１の組み立て方法と使用方法について説明する。先ず、貼着部１５の貼着面部２２の剥離紙を剥がす。次いで、折返し片２０を裏側に折り返し、さらに、貼着部１５を貼着用折り目１２から裏側に折り返して押え突片２３で前記折返し片２０を押える(図２参照)。
【００２１】
貼着部１５を貼着用折り目１２から裏側に折り返すと、切込２５によって形成された突片２７が突出する。押え突片２３で折返し片２０を押ええたまま、包装用折り目８から押え部１３を折り返して貼着面部２２を表面部９の裏面に貼着する（図３参照）。背面部１０を表面部９の裏面に貼着することによって、図３及び図４に示すように、押込み片１１，１７側が開口した袋状の包装部３が組み立てられる。
【００２２】
上記のようにして組み立てられた吊り下げ包装体１に、例えば、錠剤とされた除菌・消臭剤等の被包装物Ｆを収納するには、開口している押込み片１１，１７側から被包装物Ｆを押し入れ、次いで、押込み片１１，１７をそれぞれ折り目１４、折り目１８から折り返して内側に押し込めばよい(図４及び図５参照)。
【００２３】
内側に押し込められた押込み片１１，１７は側面の開口部を塞ぐことになり、一方、反対側は、押え突片２３によって押えられた折返し片２０によって塞がれているので、被包装物Ｆが不用意に脱落することがない。
【００２４】
上記吊り下げ包装体から被包装物Ｆを取り出すときは、突出している突片２７を摘んで透孔１６側に引っ張れば、ミシン目２６によって容易に引き裂かれるので、大きな取出し口を形成することができる。この取出し口から被包装物Ｆを容易に取り出すことができる。
【００２５】
次に、図６及び図７に示す第２実施形態の吊り下げ包装体について説明する。第２実施形態の吊り下げ包装体１Ａも基本構成は第１実施形態の吊り下げ包装体と同一であるから、同一構成については同一符号を付してその説明は省略する。この実施形態においては、係止部２の円形状開口部５Ａは、ギザギザの鋸歯状突起５１を内向きにリング状に突設することによって形成されている。
【００２６】
また、表面部９には、押込み片片１１の対向側に突片３０が折り目３１を介して設けられている。背面部１０には、押込み片１７の対向側に剥離紙を設けた接着面部３３を設けた貼着片３４が折り目３５を介して突設されている。剥離紙を設けた貼着面部２２が設けられた貼着部１５には、第１実施形態と異なり押え突片２３は設けられていない。
【００２７】
上記構成の吊り下げ包装体１Ａを組み立てるには、図７に示すように、まず、貼着部１５の貼着面部２２の剥離紙と貼着片３４の貼着面部３３の剥離紙を剥がして、それぞれ貼着用折り目１２と折り目３５から押え部１３の裏面に折り返す。次いで、突片３０を表面部９の裏面に折り返す。貼着部１５、貼着片３４及び突片３０を折り返した状態で、背面図１０を包装用折り目８から表面部９の裏面側に折り返し、貼着面部２２を表面部９の裏面に貼着すると同時に、貼着片３４の貼着面部３３を折り返した突片３０に接着する。
【００２８】
貼着面部２２，３３による貼着によって押込み片１１，１７側が開口した袋状の包装部３が組み立てられる。上記のようにして組み立てられた吊り下げ包装体１Ａには、第１実施形態の吊り下げ包装体１と同様に、開口している押込み片１１，１７側から被包装物Ｆを押し入れ、次いで、押込み片１１，１７をそれぞれ折り目１４、折り目１８から折り返して内側に押し込めばよい。内側に押し込められた押込み片１１，１７は開口部を塞ぐことになり、一方、反対側は、突片３０と貼着片３４との貼着によって塞がれているので、被包装物Ｆが不用意に飛び出したり脱落することがない。
【００２９】
尚、上記第２実施形態において、貼着片３４の貼着面部３３を省略して、突片３０に剥離紙を設けた貼着面部を設けてもよい。また、第１実施形態と同様に、貼着部１５に押え突片２３を突設してもよい。押え突片２３を突設した場合には、貼着片３４に貼着面部３３を設けることなく、前記突片２３又は突片３０に貼着面部を設ける構成としてもよい。
【００３０】
上記のように被包装物を包装した吊り下げ包装体をボトルや容器に取り付けるには、円形状開口部５にボトルや容器の首部を挿入すればよい。図８に示すように、吊り下げ包装体１をボトルネッカーとしてスプレー容器Ｓに取り付ける場合には、スプレーヘッド部分Ｓ１を取り外して首部Ｓ２を吊り下げ包装体１の円形状開口部５に挿入した後、再度スプレーヘッド部分Ｓ１を取り付ければよい。また、図９に示すように、吊り下げ包装体１Ａをスプレーヘッドのない容器Ｙに取り付ける場合には、キャップＹ１を取り付けたまま、首部Ｙ２を円形状開口部５Ａに挿入すればよい。
【符号の説明】
【００３１】
１：吊り下げ包装体
２：係止部
３：包装部
４：折れ目
５：円形状開口部
６：折れ目  
８：折り目
９：表面部  
１０：背面部
１１：押込み片  
１２：折り目  
１３：押え部  
１４：折り目
１５：貼着部
１６：透孔
１７：押込み片
１８：折り目  
２０：折返し片
２１：折り目
２２：接着面部  
２３：押え突片
２５：切込  
２６：ミシン目
２７：突片
３０：突片  
３１：折り目
３３：接着面部  
３４：貼着片
３５：折り目
【図１】
0003160978.tif 000003
【図２】
0003160978.tif 000004
【図３】
0003160978.tif 000005
【図４】
0003160978.tif 000006
【図５】
0003160978.tif 000007
【図６】
0003160978.tif 000008
【図７】
0003160978.tif 000009
【図８】
0003160978.tif 000010
【図９】
0003160978.tif 000011